(57)【要約】【課題】  小屋裏空間の換気をスムーズに実施することが可能な換気ボックスであって、特に暴風雨時に換気口より浸入する強風及び雨水を減圧することが可能な換気ボックスを目的とする。【解決手段】  底部２ａが閉鎖されかつ上部２ｂが開放され、かつ一側面下部に換気口４を有する箱２の中に、小さな小孔５が多数個穿孔された複数のパンチング板３を下層から上層に亘って並列積層してなる換気ボックスの構造。【選択図】      図１
2007170042.tif 000002
【特許請求の範囲】
【請求項１】
腰壁等の換気通路内に組込んで設置される換気ボックスに於いて、底部が閉鎖されると共に上部が開放された箱の一側面下部に換気口が開口され、さらに箱内に多数の小孔が穿孔された複数のパンチング板を相互に所定の間隙を保って下層から上層に積層して構成したことを特徴とした換気ボックス。
【請求項２】
上部に笠木を設け、かつ外装材の裏側に該外装材と腰壁下地材に囲まれた通気層と、小屋裏空間に連通する前後の腰壁下地材に囲まれた換気通路とを順に前後に有する腰壁の換気構造に於いて、底部が閉鎖されかつ上部が開放された箱の一側面下部に換気口が開口されると共に、複数のパンチング板が箱の相互に所定の間隙を保って下層から順に積層された換気ボックスを前記換気通路内に取付け、さらに換気ボックスの前記換気口を通気層内に開口して構成した腰壁の換気構造。 
【発明の詳細な説明】
【技術分野】
【０００１】
本発明は建築物の小屋裏の換気通路に取付けて使用される換気ボックスと、該換気ボックスを腰壁の換気通路内に取付けて構成した腰壁の換気構造に係り、特に暴風雨が発生した時に風雨が建築物の換気通路内に浸入することを防止可能とした換気ボックス及び腰壁の換気構造に関するものである。
【背景技術】
【０００２】
建築物に於いて、小屋裏の劣化の軽減を図る為に、例えば特開平６−７３８２８号公報（特許文献１）に示す如く、換気口を設けて小屋裏の換気を図っている例が多く見られる。
【０００３】
然るに、建築物に軒がある場合には、前述の特許文献１に示す如く、換気構造を軒の一部に組込むことが出来るが、建築物に軒が無い場合、即ち例えば陸屋根の場合等に於いて小屋裏の換気を行うためには、意匠性や防水性等の問題で設計上苦慮する処であった。
【０００４】
従来、陸屋根の様な軒のない建築物に小屋裏の換気を行う方法としては、例えば実開昭６２−１３３８８８号公報（特許文献２）、特開平１０−１６０２１８号公報（特許文献３）、或は特開２０００−１４５０７２号公報（特許文献４）等が知られている。
【０００５】
前記特許文献２に関する技術は、複数のガラリ羽根を前側上下に並列し、その裏側に防虫ネットと通気部を順に所定の間隙を保って併設して構成した換気装置である。
【０００６】
また、前記特許文献３に関する技術は、箱状の本体部の前面に多数のガラリ羽根を上下に並列し、かつ該ガラリ羽根の裏側に第１防虫ネットを設け、本体の奥内面の突当面にリブ板を突設し、さらに上部に設けた開口部に第２防虫ネットを設けて構成した換気フードの構造である。
【０００７】
さらに、前記特許文献４に関する技術は、屋外床の床下空間（小屋裏空間）と屋外に起立した手摺壁（腰壁）の空間とを連通する連通孔が設けられ、手摺壁の上部には笠木が設けられ、前記手摺壁内の空間と外気とを連通する換気開口が前記笠木と手摺壁の上部外面との間に設けられ、前記換気開口に防水透湿シートを張設した屋外床の床下換気構造の技術が記載されている。
【特許文献１】特開平６−７３８２８号公報
【特許文献２】実開昭６２−１３３８８８号公報
【特許文献３】特開平１０−１６０２１８号公報
【特許文献４】特開２０００−１４５０７２号公報
【発明の開示】
【発明が解決しようとする課題】
【０００８】
然るに、前述特許文献２及び特許文献３は、夫々が前面側に多数のガラリ羽根を上下に並列し、その裏側に所定の間隔を保って防虫ネット、通気部を有するパネル、水平に突設したリブ板等を設けて構成しなければならず、構造が極めて複雑になり、構成部品が多いので組立構成が困難であると共にコスト高になる問題があった。
【０００９】
また、特許文献２或は特許文献３に係る技術は、必要な換気面積を設ける為には、外壁に数多くの装置を取り付けなければならず、建築物の意匠を損なう問題があった。かつ外壁の外側に露出させて使用すると、台風時等に風速３０ｍ／ｓを超える風雨が吹き付けると、防水性に不安がある等の問題があった。
【００１０】
さらに、特許文献２及び特許文献３に於いては、多数のガラリ羽根の裏側のルーバーの内側の上下方向に向かって防虫ネットが設けられているので、換気面積を多く採る為には、防虫ネットの換気ロス分を考慮して換気フード自体の見付寸法を大きくせざるを得ず、体裁が悪く、取付けて使用する場所も限定される等の問題があった。
【００１１】
特許文献４に関する技術は、バルコニーの手摺壁上部から建築物の小屋裏空間に換気を図る工法である。この技術では、手摺壁の上部に笠木を設け、この笠木と手摺壁の上部外面とに換気開口を設け、かつ換気開口に防水透湿シートを張設しているが、この技術は構造が単純であるので、暴風雨時には手摺壁の上部から小屋裏の空間に雨水が浸入する恐れがあった。
【００１２】
また、特許文献４に於いては、単に手摺壁の上部と笠木との間に換気開口を設けること、かつ換気開口又はその後方近傍に防水透湿シートを張設するとのみ記載しているに過ぎず、その防水上の具体的な手段は開示されていない。いずれにしろ、特許文献４に記載された技術では、暴風雨時に手摺壁の上部から小屋裏の空間に雨水が浸入する心配があった。
【課題を解決するための手段】
【００１３】
本発明に係る換気ボックスは、従来の多くの問題点を根本的に改善した発明であって、その発明の主な構成は、ベランダ等の腰壁等の換気通路内に組込んで設置される換気ボックスに於いて、底部が閉鎖されると共に上部が開放された箱の一側面下部に換気口が開口され、さらに箱内に多数の小孔が穿孔された複数のパンチング板を相互に所定の間隙を保って下層から上層に積層して構成したことを特徴とした換気ボックスである。
【００１４】
本発明に係る腰壁の換気構造も従来の多くの問題点を根本的に改善した全く新しい発明であって、その発明の主な構成は、上部に笠木を設け、かつ外装材の裏側に該外装材と腰壁下地材に囲まれた通気層と、小屋裏空間に連通する前後の腰壁下地材に囲まれた換気通路とを順に前後に有する腰壁の換気構造に於いて、底部が閉鎖されかつ上部が開放された箱の一側面下部に換気口が開口されると共に、複数のパンチング板が箱の相互に所定の間隙を保って下層から順に積層された換気ボックスを前記換気通路内に取付け、さらに換気ボックスの前記換気口を通気層内に開口して構成した腰壁の換気構造である。
【発明の効果】
【００１５】
本発明に係る換気ボックスは、箱の中に多数の小孔が穿孔されたパンチング板を複数個所定の間隙を保って上下に積層した構造であるので、構成が極めて簡単でコンパクトであり、場所を大きく取らずに、換気通路の任意の位置に簡単に取付けて使用することが出来る。
【００１６】
箱の一側面下部に換気口が穿設されているので、暴風雨時に換気口から浸入した風雨も、箱内に並列された複数のパンチング板を順に通過する間に減圧され、さらに雨水は下方に落下して再び換気口より外部に排出され、従って、強い風雨が箱の上部より放出されることを防止出来る。
【００１７】
前記ボックスの箱は、木、樹脂、金属等によって簡単に構成出来る。また、箱の中に挿入されるパンチング板も木製板、樹脂板、金属板をプレス加工することによって簡単に構成出来る。しかもこれ等の箱と複数のパンチング板も簡単に組立構成出来るので極めて安価に構成出来る。
【００１８】
本発明に係る腰壁の換気構造に於いては、腰壁の外装材の裏側に外装材と腰壁下地材との間に通気層を設け、かつこの通気層の裏側に前後の腰掛下地材によって換気通路を構成したので、該換気通路内に取付けた換気ボックスの換気口を通気層に露出しても腰壁の外装材によって全く見えなくすることが出来、仮に通気層内に多数の換気口を設けた場合にも、建築物の意匠を損なうことがない。
【００１９】
本発明に係る腰壁の換気構造に於いては、前述の如く、換気口は外装材の裏側に設けた通気層に開口するようにしたので、換気口を外部に露出することがなく、暴雨時にも換気口に直接風雨が掛ることを防止することが出来る。
【００２０】
本発明に係る腰壁の換気構造に於いては、暴風雨時に風雨が腰壁の上部の笠木の下部を通過して通気層に入った場合にも、この通気層である程度減圧され、更に風雨は換気通路に取付けられた換気ボックスの換気口より箱の中に浸入して複数のパンチング板の間を通過するので、換気ボックス内で更に減圧されて、換気通路に放出される。従って、強い風雨が換気通路を通って、小屋裏に浸入することを完全に防止することが出来る。
【００２１】
本発明に係る腰壁の換気構造に於いては、換気ボックスが箱と複数のパンチング板とで構成されるので、腰壁内部のスペース、或は腰壁の内部に構成した換気通路に応じて、換気ボックスの形状をいずれの形状に変化させて使用することが出来る。また、腰壁の内部に取付けられる換気ボックスは、樹脂の一体成形によって任意の形状のものを簡単かつ安価に製造することも出来る。
【発明を実施するための最良の形態】
【００２２】
本発明に係る換気ボックス及び腰壁の換気構造の一実施例を具体的に説明すると、図１は本発明に係る換気ボックスの縦断面図、図２は図１の換気ボックスの外観図、図３は図１の換気ボックスを構成する部品の斜視図、図４は図１の換気ボックスの詳細図である。
【００２３】
図５は本発明に係る腰壁の換気構造の要部の縦断面図、図６は図５の腰壁と小屋裏空間との換気構造を示す縦断面図、図７は図１の換気ボックスを腰壁に取付ける状態を示す斜視図、図８は図７の組立を更に進展させた状態の斜視図、図９は腰壁を用いて換気を実施する例の簡略説明図である。
【００２４】
図１乃至図４に於いて、１は換気ボックスであって、箱２と複数のパンチング板３とで構成されている。この箱２は樹脂の一体成形で構成され、その底部２ａは閉鎖されると共に上部２ｂは開放されている。箱２の前板２ｃの下部には箱２の底部内部に通じる所定幅の換気口４が開口されている。
【００２５】
前記複数のパンチング板３は樹脂板に多数の小孔５を穿孔することによって構成されている。また、これ等のパンチング板３は、箱２の下層から上層に亘って所定の間隙を保って積層されている。これ等のパンチング板３は箱２の壁面にビス等で固定することも、或は左右に設けた折曲脚部３ａを利用することによっても箱２内に収納することが出来る。箱２の前板２ｃの上下には、箱２を腰壁等の所定位置に取付けるためのビス孔６が穿設されている。
【００２６】
本発明に係る換気ボックス１は、前述の構成を有するので、必要に応じて後述の様に、これを腰壁の内部の換気通路等に取付けて使用することが出来る。
【００２７】
暴風雨時等に風雨が換気口４を介して箱２の中に浸入した場合にも、高圧の風雨を箱２の底部２ａから上部２ｂに通過させ、その通過の途中に複数のパンチング板３の小孔５を順に通し、風雨の勢力を減圧し、風雨の中の雨水は、箱２の底部２ａより換気口４の外部に排出し、減圧された圧力の弱い風のみを箱２の開放された上部２ｂより放出することが出来る。
【００２８】
前記実施例に於いて、パンチング板３に設ける孔の径を小さくしたり、或は箱２に収納されるパンチング板３の枚数を多くしたり、又は換気ボックス１の形状を大きくしたりすることによって、換気口４より浸入した風雨の圧力を自由に調節することが出来る。
【００２９】
次に、本発明に係る腰壁の換気構造について説明する。図５乃至図８に於いて、７は陸屋根の腰壁であって、その上部には笠木８が取付けられている。腰壁７は特に図５及び図６に明らかな如く、表側から裏側に渡って、第１外装材９、第１腰壁下地材１０、第２腰壁下地材１１、第２外装材１２が順に配置されている。
【００３０】
第１外装材９と第１腰壁下地材１０との間に所定幅の通気層１３が形成され、かつ第１腰壁下地材１０と第２腰壁下地材１１との間には小屋裏空間１４に連通する幅広の換気通路１５が形成されている。
【００３１】
前記笠木８は腰壁７の上部に設けられた笠木下地１６を介して取付けられ、前記通気層１３の上部は、笠木８の裏側を介して外気と換気し得るように構成されている。換気通路１５の上部には、前述の換気ボックス１が取付けられている。
【００３２】
換気ボックス１を換気通路１５の上部に収納して取付固定するに当っては、特に図５乃至図８に示す如く、換気ボックス１の前板２ｃの上部を笠木下地１６に固定し、換気ボックス１の底部２ａを柱１７に取付固定された取付下地１８で支持し、換気ボックス１の換気口４を前記通気層１３の中に開放して取付けることが出来る。さらに、換気ボックス１の周りには、特に図７及び図８に示す如く、防水シート１９及び防水テープ２０を貼着する。
【００３３】
本発明に係る腰壁の換気構造は、前述の構成を有するので、通常の状態では、小屋裏空間１４の換気を腰壁７に設けた換気通路１５、換気通路１５内に取付けた換気ボックス１及び換気ボックス１の換気口４、通気層１３を通じて、前記笠木８の裏面より外気に換気することが出来る。
【００３４】
そして、暴風雨が発生して、風雨が通気層１３から換気口４より換気ボックス１内に浸入して来た場合には、前述の換気ボックス１の説明でも明らかな如く、風雨を換気ボックス１内の複数のパンチング板３を通過させることによって減圧させ、換気ボックス１に浸入した雨水は換気口４より排出し、換気ボックス１の上部２ｂより減圧された空気を換気通路１５内に放出させることが出来る。
【００３５】
本発明に係る腰壁の換気構造に於いては、換気ボックス１の換気口４が第１外装材９の裏側にある通気層１３に開口しているので、表側からは第１外装材９によって遮蔽されて全く見えず、意匠的に優れていると共に、外気が直接換気口４の中に侵入することを防止することが出来る。
【００３６】
従って、図９（ａ）に示す如く、バルコニーの床が小屋裏となる場合、或は図９（ｂ）に示す如く、陸屋根の場合にも、本発明に係る腰壁の換気構造を採用して小屋裏空間１４の換気をすることが可能である。
【産業上の利用可能性】
【００３７】
本発明に係る換気ボックスは、前述のような腰壁の内部に取付けて使用される他に、軒を有する一般的住宅の小屋裏の換気通路に取付けて使用することも出来る。
【図面の簡単な説明】
【００３８】
【図１】換気ボックスの縦断面図である。
【図２】換気ボックスの外観図である。
【図３】換気ボックスを構成する部品の斜視図である。
【図４】換気ボックスの詳細図である。
【図５】腰壁の換気構造の要部の縦断面図である。
【図６】腰壁と小屋裏空間との換気構造を示す縦断面図である。
【図７】換気ボックスを腰壁に取付ける状態を示す斜視図である。
【図８】図７の組立を更に進展させた状態の斜視図である。
【図９】腰壁を用いて換気を実施する例の簡略説明図である。
【符号の説明】
【００３９】
１    …換気ボックス
２    …箱
２ａ  …底部
２ｂ  …上部
２ｃ  …前板
３    …パンチング板
３ａ  …折曲脚部
４    …換気口
５    …小孔
６    …ビス孔
７    …腰壁
８    …笠木
９    …第１外装材
１０  …第１腰壁下地材
１１  …第２腰壁下地材
１２  …第２外装材
１３  …通気層
１４  …小屋裏空間
１５  …換気通路
１６  …笠木下地
１７  …柱
１８  …取付下地
１９  …防水シート
２０  …防水テープ
【図１】
2007170042.tif 000003
【図２】
2007170042.tif 000004
【図３】
2007170042.tif 000005
【図４】
2007170042.tif 000006
【図５】
2007170042.tif 000007
【図６】
2007170042.tif 000008
【図７】
2007170042.tif 000009
【図８】
2007170042.tif 000010
【図９】
2007170042.tif 000011